【手続補正書】
【提出日】平成28年1月29日(2016.1.29)
【手続補正１】
【補正対象書類名】明細書
【補正対象項目名】０１５８
【補正方法】変更
【補正の内容】
【０１５８】
実施形態Ｄ３．
Ｒ−５０７が置換される、実施形態Ｄ１の方法。
実施形態Ｅ１．
実施形態Ａ１〜Ａ１４のいずれか１つの冷媒混合物または実施形態Ｂ１〜Ｂ４のいずれか１つの組成物を含有する冷凍装置。
【手続補正２】
【補正対象書類名】明細書
【補正対象項目名】０１５９
【補正方法】変更
【補正の内容】
【０１５９】
以上、本発明を要約すると下記のとおりである。
１．ａ．２０質量パーセント〜２５．５質量パーセントのＨＦＯ−１２３４ｙｆと、
ｂ．２０質量パーセント〜２４．５質量パーセントのＨＦＣ−３２と、
ｃ．２４．５質量パーセント〜３０質量パーセントのＨＦＣ−１２５と、
ｄ．２５．５質量パーセント〜３０質量パーセントのＨＦＣ−１３４ａと、
ｅ．約０．０００１質量パーセント〜約１０質量パーセントのトランス−ＨＦＯ−１２３４ｚｅと
から本質的になる非引火性冷媒混合物。
２．ａ．２３質量パーセント〜２５．５質量パーセントのＨＦＯ−１２３４ｙｆと、
ｂ．２２質量パーセント〜２４．５質量パーセントのＨＦＣ−３２と、
ｃ．２４．５質量パーセント〜２７質量パーセントのＨＦＣ−１２５と、
ｄ．２５．５質量パーセント〜２８質量パーセントのＨＦＣ−１３４ａと、
ｅ．約０．０００１質量パーセント〜約５質量パーセントのトランス−ＨＦＯ−１２３４ｚｅと
を含む、上記１に記載の非引火性冷媒混合物。
３．共沸混合物様であり、トランス−ＨＦＯ−１２３４ｚｅが、存在する場合に、約０．０００１〜約１質量パーセントである、上記１に記載の非引火性冷媒混合物。
４．（ｉ）非引火性冷媒成分と、任意選択で
（ｉｉ）非冷媒成分と
からなる組成物であって、前記冷媒成分が上記１に記載の非引火性冷媒混合物である組成物。
５．前記冷媒成分が、
ａ．２３質量パーセント〜２５．５質量パーセントのＨＦＯ−１２３４ｙｆと、
ｂ．２２質量パーセント〜２４．５質量パーセントのＨＦＣ−３２と、
ｃ．２４．５質量パーセント〜２７質量パーセントのＨＦＣ−１２５と、
ｄ．２５．５質量パーセント〜２８質量パーセントのＨＦＣ−１３４ａと、
ｅ．約０．０００１質量パーセント〜約５質量パーセントのトランス−ＨＦＯ−１２３４ｚｅと
から本質的になる、上記４に記載の組成物。
６．前記非冷媒成分が存在し、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、ならびにこれらの混合物からなる群から選択される、上記４に記載の組成物。
７．前記非冷媒成分が、鉱油、アルキル置換芳香族化合物、アルキルベンゼン、合成パラフィンおよびナフテン、ポリ（アルファオレフィン）、ポリグリコール、ポリアルキレングリコール、二塩基酸エステル、ポリエステル、ポリオールエステル、ネオペンチルエステル、ポリビニルエーテル、ペルフルオロポリエーテル、シリコーン、ケイ酸エステル、フッ素化化合物、リン酸エステル、ポリカーボネートおよびこれらの混合物からなる群から選択される潤滑剤である、上記６に記載の組成物。
８．前記ＨＦＣ−１３４ａ対ＨＦＯ−１２３４ｙｆの質量比が１：１よりも大きい、上記４に記載の組成物。
９．前記ＨＦＯ−１２３４ｙｆが前記冷媒成分の約２５質量パーセントであり、前記ＨＦＣ−１３４ａが前記冷媒成分の約２６質量パーセントである、上記８に記載の組成物。
１０．ａ．２０質量パーセント〜２５．５質量パーセントのＨＦＯ−１２３４ｙｆと、
ｂ．２０質量パーセント〜２４．５質量パーセントのＨＦＣ−３２と、
ｃ．２４．５質量パーセント〜３０質量パーセントのＨＦＣ−１２５と、
ｄ．２５．５質量パーセント〜３０質量パーセントのＨＦＣ−１３４ａと、
ｅ．約０．０００１質量パーセント〜０．１０質量パーセントのトランス−ＨＦＯ−１２３４ｚｅと
から本質的になり、約−４０℃〜０℃の蒸発温度を有する冷凍システムで冷媒として使用される場合に、同じ蒸発器温度におけるＲ−４０４Ａの容量の１０％以内の容量を有する、上記１に記載の非引火性冷媒混合物。
１１．（ｉ）非引火性冷媒成分と、任意選択で
（ｉｉ）非冷媒成分と
からなる組成物であって、前記冷媒成分が上記３に記載の共沸混合物様組成物である組成物。
１２．トランス−ＨＦＯ−１２３４ｚｅが、前記冷媒成分の約０．０００１質量パーセント〜約０．１０質量パーセントである、上記１１に記載の組成物。
１３．前記非冷媒成分が存在し、潤滑剤、色素（ＵＶ色素を含む）、可溶化剤、相溶化剤、安定剤、トレーサー、ペルフルオロポリエーテル、摩耗防止剤、極圧添加剤、腐食および酸化防止剤、金属表面エネルギー低下剤、金属表面不活性化剤、フリーラジカル捕捉剤、発泡調節剤、粘度指数改善剤、流動点降下剤、洗剤、粘度調整剤、ならびにこれらの混合物からなる群から選択される、上記１１に記載の組成物。
１４．前記ＨＦＣ−１３４ａ対ＨＦＯ−１２３４ｙｆの質量比が１：１よりも大きい、上記１１に記載の組成物。
１５．前記ＨＦＯ−１２３４ｙｆが前記組成物の約２５質量パーセントであり、前記ＨＦＣ−１３４ａが前記組成物の約２６質量パーセントである、上記１４に記載の組成物。
１６．約−４０℃〜０℃の蒸発温度を有する冷凍システムで冷媒として使用される場合に
、前記冷媒成分が、同じ蒸発器温度におけるＲ−４０４Ａの容量の１０％以内の容量を有する、上記１１に記載の組成物。
１７．上記１に記載の冷媒混合物を凝縮させ、その後、冷却すべき本体の近くで前記組成物を蒸発させることを含む、冷却をもたらすための方法。
１８．Ｒ−４０４ＡおよびＲ−５０７からなる群から選択される冷媒を置換するための方法であって、上記１に記載の冷媒混合物または上記４に記載の組成物を冷凍装置に充填することを含む方法。
１９．上記１に記載の冷媒混合物または上記４に記載の組成物を含有する冷凍装置。
【手続補正３】
【補正対象書類名】特許請求の範囲
【補正対象項目名】全文
【補正方法】変更
【補正の内容】
【特許請求の範囲】
【請求項１】
ａ．２０重量パーセント〜２５．５重量パーセントのＨＦＯ−１２３４ｙｆと、
ｂ．２０重量パーセント〜２４．５重量パーセントのＨＦＣ−３２と、
ｃ．２４．５重量パーセント〜３０重量パーセントのＨＦＣ−１２５と、
ｄ．２５．５重量パーセント〜３０重量パーセントのＨＦＣ−１３４ａと、
ｅ．約０．０００１重量パーセント〜約１０重量パーセントのトランス−ＨＦＯ−１２３４ｚｅと
から本質的になる非引火性冷媒混合物。
【請求項２】
ａ．２３重量パーセント〜２５．５重量パーセントのＨＦＯ−１２３４ｙｆと、
ｂ．２２重量パーセント〜２４．５重量パーセントのＨＦＣ−３２と、
ｃ．２４．５重量パーセント〜２７重量パーセントのＨＦＣ−１２５と、
ｄ．２５．５重量パーセント〜２８重量パーセントのＨＦＣ−１３４ａと、
ｅ．約０．０００１重量パーセント〜約５重量パーセントのトランス−ＨＦＯ−１２３４ｚｅと
を含む、請求項１に記載の非引火性冷媒混合物。
【請求項３】
（ｉ）非引火性冷媒成分と、任意選択で
（ｉｉ）非冷媒成分と
からなる組成物であって、前記冷媒成分が請求項１に記載の非引火性冷媒混合物である組成物。
【請求項４】
（ｉ）非引火性冷媒成分と、任意選択で
（ｉｉ）非冷媒成分と
からなる組成物であって、前記冷媒成分が請求項１に記載の非引火性冷媒混合物であり、前記冷媒成分が共沸混合物様組成物であり、トランス−ＨＦＯ−１２３４ｚｅが約０．０００１〜約１重量パーセントの量で存在する組成物。
【請求項５】
請求項１に記載の冷媒混合物を凝縮させ、その後、冷却すべき本体の近くで前記組成物を蒸発させることを含む、冷却をもたらすための方法。
【請求項６】
Ｒ−４０４ＡおよびＲ−５０７からなる群から選択される冷媒を置換するための方法であって、請求項１に記載の冷媒混合物または請求項４に記載の組成物を冷凍装置に充填することを含む方法。
【請求項７】
請求項１に記載の冷媒混合物または請求項４に記載の組成物を含有する冷凍装置。